(57)【要約】      （修正有）【課題】低反発性の発泡ポリウレタンの特殊な風合いを有しながら、黄変が見えにくく、成型時の破れの無い、着用時のフィット性に優れた乳房形状のシームレスカップを提供する。【解決手段】乳房の乳頭部近傍２ｂからカップ下辺２ｄおよびカップ脇側辺２ｅにいたる扇形部５と、乳頭部近傍２ｂからカップ上辺２ｃにいたる扇形部の残余部６からなるカップ成形体２を有し、厚い乳頭部近傍２ｂと乳頭部近傍２ｂから徐々に薄くなった斜め下方のカップ脇側辺２ｅのカップ周辺部位５ａと、乳頭部近傍２ｂから徐々に薄くなったカップ上辺部２ｃの扇形部の残余部６のカップ周辺部位６ａとを有するカップ成形体２において、通常の発泡ウレタンからなる表面編地３ｇをラミネートした表側外層３ｄと裏面編地３ｈをラミネートした裏側外層３ｅと低反発性の発泡ポリウレタンの中間層３ｆからなる３層構造のカップ成形体２である。【選択図】図３
0003150793.tif 000002
【実用新案登録請求の範囲】
【請求項１】
発泡ウレタンからなるカップ成形体２は乳房の乳頭部近傍２ｂからカップ下辺２ｄおよびカップ脇側辺２ｅにいたる扇形部５および乳頭部近傍２ｂからカップ上辺２ｃにいたる扇形部の残余部６からなるカップ成形体２を有し、厚さが厚い乳頭部近傍２ｂと、乳頭部近傍２ｂから徐々に厚さが薄くなっている斜め下方のカップ脇側辺２ｅにいたる扇形部５のカップ周辺部位５ａおよび同様に乳頭部近傍２ｂから徐々に厚さが薄くなっていたるカップ上辺部２ｃである扇形部の残余部６のカップ周辺部位６ａを有するカップ成形体２において、通常の発泡ウレタン３ｂからなる表側外層３ｄと、裏側外層３ｅと、低反発性の発泡ポリウレタン３ｃからなる中間層３ｆから形成した３層構造の板状素材３からなるカップ成形体２であることを特徴とするブラジャー７その他カップ付きキャミソールなどのファンデーション用のシームレスカップ１。
【請求項２】
３層構造の板状素材３からなるカップ成形体２は通常の発泡ウレタン３ｂからなる均等厚さの表側外層３ｄと、均等厚さの低反発性の発泡ポリウレタン３ｃからなる中間層３ｆと、均等厚さの裏側外層３ｅからなる３層構造の板状素材３からモールド成形したカップ状のモールド加圧成形体２ａであることを特徴とする請求項１に記載のブラジャー７その他カップ付きキャミソールなどのファンデーション用のシームレスカップ１。
【請求項３】
３層構造の板状素材３からモールド成形したカップ状のモールド加圧成形体２ａは、乳頭部近傍２ｂの厚さが最も厚く、乳頭部近傍２ｂからカップ上辺２ｃ、カップ脇側辺２ｅおよびカップ下辺２ｄからなるカップ周辺部５ａにいたるカップ成形体２の厚みが徐々に薄くなったカップ状のモールド加圧成形体２ａであることを特徴とする請求項２に記載のブラジャー７その他カップ付きキャミソールなどのファンデーション用のシームレスカップ１。
【考案の詳細な説明】
【技術分野】
【０００１】
この考案は、女性の乳房の形状を補整するためのブラジャーその他カップ付きキャミソールなどのファンデーションの内部の乳房形状のカップ部に装着する発泡ポリウレタン成形体からなるシームレスカップに関し、特に乳房を身体の斜め下方の脇側辺の側にずれることなく確実に保持して乳房形状を補整する作用を有する構造からなる女性のバスト部に着用するブラジャーその他カップ付きキャミソールなどのファンデーションに内装するための、発泡ポリウレタンの欠点を補完し、加工上の問題を無くしかつ風合いを自在とした発泡ポリウレタン成形体からなるシームレスカップに関する。
【背景技術】
【０００２】
女性の下着であるブラジャーその他カップ付きキャミソールなどのファンデーションは、着用した衣服にバストの姿を魅力的なものとするために、乳房の形状を補整し、あるいは乳房をバストの中央部に寄せるなどしてバストラインを整え、その整えられたバストラインが衣服の外側に現れるように、様々な工夫が行われている。
【０００３】
このような工夫の一つとして、カップ部を有するブラジャーにおいて、カップ部に装着するカップを発泡ポリウレタンから形成し、この発泡ポリウレタンのカップを有するブラジャーのカップ部の脇部からカップ部の中央部付近にかけて、カップ部の内部に非伸縮性の芯地を挿入埋設して、カップ部のずり上がりや横方向への引張りに対して対応可能とし、バストの寄せ効果を図って着用感を向上したものが提案されている（例えば、特許文献１参照。）。しかし、このものは、カップ部の内部に非伸縮性の芯地を挿入埋設しているので、乳房を下部から脇部にかけて支持する力は強いが、非伸縮性の芯地のためにその部分の柔軟性に欠ける。
【０００４】
また、ブラジャーなどのカップ部の中心又はパッドとして使用するカップにおいて、発泡ポリウレタンのシートからなるカップ表面に植毛したカップとし、さらにカップの中央部の盛り上がり部の肉厚および気泡孔を大とし、周縁部に至るに従って肉厚および気泡孔を小としたカップが提案されている（例えば、特許文献２参照。）。このものはカップの中央部の盛り上がり部で発泡ポリウレタンの肉厚および気泡孔を大とし、周縁部に至るに従って肉厚および気泡孔を小としているので、中央部の盛り上り部は柔軟性および弾力性に富む一方で、周縁部は保形機能を有する。そこで着用時の使用感およびフィット性に優れるとされている。
【０００５】
ところで、上述の発泡ポリウレタンからなるカップの素材は、カップの中央部と周縁部というような大まかな面積方向における素材性質の差異について工夫したものであって、素材の厚さ方向における素材の性質の差異についての工夫は考慮されていない。
【０００６】
ブラジャーやカップ付きキャミソールなどのカップ部に装着する従来のカップ素材である発泡ポリウレタンからなる素材は、連続気泡からなる通常の発泡ポリウレタンの表面および裏面に、ポリエステル繊維糸などからそれぞれ異なる編み方で編んだ表面用編地および裏面用編地を糊付けなどにによりラミネートし、例えば厚さ１４．５ｍｍの発泡ポリウレタンからなるカップ素材に形成されている。この編地を表裏面にラミネートした発泡ポリウレタンの素材を金型内に装着し、熱成形により周縁部を例えば厚さ０．８ｍｍに圧着してシームレスとし、中央部を厚さ約７ｍｍに圧縮成形して従来のブラジャーなどのカップ部に挿入するカップとしている。しかし、このカップからなる従来のシームレスカップは、身体に装着した場合に、種々多様な風合いをもたらす構造のものとなっていなかった。
【０００７】
さらに、上記の従来のカップの素材である連続気泡からなる通常の発泡ポリウレタンに替えて、低反発性の発泡ポリウレタンからなる素材をカップ素材に用い、その表面および裏面にそれぞれ異なる編み方からなる表面用編地および裏面用編地をラミネートして厚さ約１４．５ｍｍのカップ素材に形成し、その後に上記の従来のカップと同様に、この編地を表裏面にラミネートした発泡ポリウレタンのカップ素材を金型内に装着して熱成形により周縁部をシームレスとして厚さ約０．８ｍｍに圧着し、中央部を厚さ約７ｍｍに圧縮成形して従来のカップとしている。
【０００８】
ところで、この低反発性の発泡ポリウレタンからなるシームレスカップは、特殊な風合いの反発性があって乳房に優しい面があるが、問題も多々ある。例えば、（１）この低反発性の発泡ポリウレタンは通常の発泡ポリウレタンより早く黄変する。（２）特殊な低反発性の発泡ポリウレタンの弱点としてこの低反発性の発泡ポリウレタンのみで成形すると破れてしまう。このために編地を表裏面にラミネートすることが必要である。（３）上記の通常の発泡ポリウレタンと異なり特殊な反発性のある発泡ポリウレタンであるので、上記のような、例えば厚さ約１４．５ｍｍに形成する際に、３０〜６０ｍの長尺のポリウレタンスライスにしにくい。そこで２〜４ｍの短尺にスライスしたポリウレタンスライスをつなぎ合わせ、その表裏面を編地でラミネートする。しかし、このものでは、つなぎ目が多くなってロスが大きい。（４）さらに、ポリウレタンスライスの表裏面を編地でラミネートする際に、ラミネートの接着力を高めるために、ラミネート工程で糊量を多くして抑えを掛けるために糊の染み出しが発生しやすくなる。（５）気温が低くなると、特殊な低反発性の発泡ポリウレタンは硬くなり、スライスなどの２次加工がしにくくなるなどの種々の問題がある。
【先行技術文献】
【特許文献】
【０００９】
【特許文献１】特開２００７−３０３０１０号公報
【特許文献２】実開昭５０−１０７７２３号公報
【考案の概要】
【考案が解決しようとする課題】
【００１０】
そこで、本考案が解決しようとする課題は、従来の上述の技術の問題点を解消することであり、発泡ウレタンを主体とするブラジャーその他のカップ付きキャミソールなどのファンデーションの内部のカップ部に装着するシームレスカップにおいて、上述の低反発性の発泡ポリウレタンからなるシームレスカップの特殊な風合いを保持しながら、その風合いやカップの厚みの程度を自在に設定した構造を有するものとし、低反発性の発泡ポリウレタンの黄変が外部に現れにくくし、また低反発性の発泡ポリウレタンが成型時に生じる破れを解消し、表裏を編地でラミネートして外観および触感に優れたカップとし、乳房を下部のカップ周辺から支持すると共に脇側辺から中央部に寄せて持ち上げる作用を有しながら、カップの下部から脇側辺にかけての扇形部を非伸縮性とすることなく、やや柔軟性も持ち合わせたものとして着用時のフィット性に優れたブラジャーその他カップ付きキャミソールなどのファンデーションに適用可能な乳房形状のシームレスカップを提供することである。
【課題を解決するための手段】
【００１１】
上記の課題を解決するための本考案の手段について、添付の図面を参照して説明する。
【００１２】
この考案の手段は、発泡ウレタンのカップ成形体２からなるブラジャー７その他カップ付きキャミソールなどのファンデーションのカップ部４へ装着するための３層構造の板状素材３からなる乳房形状のシームレスカップ１である。
【００１３】
すなわち、本考案の請求項１の手段では、発泡ウレタンからなるカップ成形体２は乳房の乳頭部近傍２ｂからカップ下辺２ｄおよびカップ脇側辺２ｅにいたる扇形部５および乳頭部近傍２ｂからカップ上辺２ｃにいたる扇形部の残余部６からなるカップ成形体２を有し、厚さが厚い乳頭部近傍２ｂと、乳頭部近傍２ｂから徐々に厚さが薄くなっている斜め下方のカップ脇側辺２ｅにいたる扇形部５のカップ周辺部位５ａおよび同様に乳頭部近傍２ｂから徐々に厚さが薄くなっているカップ上辺部２ｃである扇形部の残余部６のカップ周辺部位６ａを有するカップ成形体２において、通常の発泡ウレタン３ｂからなり表面に表面編地３ｇをラミネートした表側外層３ｄと、裏面に裏面編地３ｈをラミネートした裏側外層３ｅと、低反発性の発泡ポリウレタン３ｃからなる中間層３ｆから形成した３層構造の板状素材３からなるカップ成形体２であることを特徴とするブラジャー７その他カップ付きキャミソールなどのファンデーション用のシームレスカップ１である。
【００１４】
請求項２の手段では、３層構造の板状素材３からなるカップ成形体２は通常の発泡ウレタン３ｂからなる均等厚さの表側外層３ｄと、均等厚さの低反発性の発泡ポリウレタン３ｃからなる中間層３ｆと、均等厚さの裏側外層３ｅからなる３層構造の板状素材３からモールド成形したカップ状のモールド加圧成形体２ａであることを特徴とする請求項１の手段のブラジャー７その他カップ付きキャミソールなどのファンデーション用のシームレスカップ１である。
【００１５】
請求項３の手段では、３層構造の板状素材３からモールド成形したカップ状のモールド加圧成形体２ａは、乳頭部近傍２ｂの厚さが最も厚く、乳頭部近傍２ｂからカップ上辺２ｃ、カップ脇側辺２ｅおよびカップ下辺２ｄからなるカップ周辺部位５ａにいたるカップ成形体２の厚みが徐々に薄くなったカップ状のモールド加圧成形体２ａであることを特徴とする請求項２の手段のブラジャー７その他カップ付きキャミソールなどのファンデーション用のシームレスカップ１である。
【考案の効果】
【００１６】
本考案は、カップ素材を３層構造として中間層を低反発性の発泡ポリウレタンとしたことで、低反発性の発泡ポリウレタンが有する特殊な風合いを有しながら、黄変しやすい低反発性の発泡ポリウレタンの欠点が外部に現れなく、さらに、低反発性の発泡ポリウレタンの成型時の破れの無い、外観並びに着用時の感触およびフィット性に優れ、従来のカップと同様に乳房を持ち上げ中央に寄せる効果の高い乳房形状のシームレスカップである。
【図面の簡単な説明】
【００１７】
【図１】本考案のシームレスカップを装着したブラジャーの斜視図である。
【図２】（ａ）は左右のカップ状素材の連繋した形状の３層構造からなる板状素材を示す斜視図、（ｂ）はその３層構造を離間して示す側面図である。
【図３】（ａ）は本考案の実施の形態の右用のカップ成形体の平面図で、（ｂ）は（ａ）の矢視Ａ−Ａから見た断面図である。
【考案を実施するための形態】
【００１８】
本考案を実施するための最良の形態について図面を参照して以下に説明する。図１に示すように、本考案のシームレスカップ１は、例えばブラジャー７の左右の乳房の部分を被うカップ部４に装着に用いられる。このシームレスカップ１となる発泡ウレタンのカップ成形体２は、表面編地３ｇを表面にラミネートした通常の発泡ウレタン３ｂからなる表側外層３ｄと、低反発性の発泡ポリウレタン３ｃからなる中間層３ｆと、裏面編地３ｈを裏面にラミネートした通常の発泡ウレタン３ｂからなる裏側外層３ｅからなる３層構造の板状素材３からなるカップ状素材３ａをモールド成形によりシームレスカップ１として一体化されたカップ成形体２である。このカップ成形体２は、ブラジャー７その他のカップ付きキャミソールなどのファンデーションようとして、これらのカップ部に装着される。
【００１９】
ところで、本考案の請求項１の手段の発泡ウレタンの３層構造の板状素材３からなるカップ成形体２は、図４に示すように、乳房の乳頭部近傍２ｂからカップ下辺２ｄおよびカップ脇側辺２ｅにいたる扇形部５および乳頭部近傍２ｂからカップ上辺２ｃにいたる扇形部の残余部６からなるカップ成形体２を有し、厚さが大きく柔らかな例えば７ｍｍの厚さの乳頭部近傍２ｂと、乳頭部近傍２ｂから徐々に厚さが薄くなって斜め下方のカップ脇側辺２ｅにいたる扇形部５の厚さが小さな例えば１ｍｍの厚さでやや硬くなったカップ周辺部位５ａと、同様に乳頭部近傍２ｂから徐々に厚さが薄くなっているカップ上辺部２ｃである扇形部の残余部６の厚さが小さな例えば１ｍｍの厚さでやや硬くなったカップ周辺部位６ａを有するカップ成形体２である。
【００２０】
この成形体２は、図２の（ｂ）に示すように、厚さ３．５ｍｍの通常の発泡ウレタン３ｂからなる表側外層３ｄと、同じく厚さ３．５ｍｍの通常の発泡ウレタン３ｂからなる裏側外層３ｅと、厚さ１０ｍｍの低反発性の発泡ポリウレタン３ｃの中間層３ｆからなる３層構造の板状素材３からモールド加圧成形したカップ成形体２である。この表側外層３ｄはその表面に、例えばポリエステル繊維の編み糸から編まれた表面編地３ｇがラミネートされて一体化されている。また、この裏側外層３ｅはその裏面にポリエステル繊維の編み糸から異なる編み方で編まれた裏面編地３ｈがラミネートされて一体化されている。これら通常の発泡ウレタンは３ｂのポリエステル繊維からなる編地でラミネートされているので、これらからなるカップ成形体２は編地を肌色とすることで身体の肌の色と違和感が無く、触感も良好であり、ブラジャー７に装着するときの装着感に優れている。さらに、黄変しやすい低反発性の発泡ポリウレタン３ｃの中間層３ｆを表側外層３ｄと裏側外層３ｅの通常の発泡ポリウレタンにより被覆することにより、黄変を外部に現れなくし、低反発性の発泡ポリウレタン３ｃの成型時の破れを防ぎ、かつ、低反発性の発泡ポリウレタン３ｃに対する編地によるラミネートの必要を無くし、３層構造の中の最も厚さの大きな中間層３ｆである低反発性の発泡ポリウレタン３ｃによって身体に対する風合いを持たせたカップ成形体２となっている。
【００２１】
この本考案のカップ成形体２は、図２の（ｂ）に互いに離間して示す、表面編地３ｇをラミネートした通常の発泡ウレタン３ｂの表側外層３ｄと、低反発性の発泡ポリウレタン３ｃの中間層３ｆと、裏面編地３ｈをラミネートした通常の発泡ウレタン３ｂの裏側外層３ｅを、図２の（ａ）に示すように、一体的に重ねて３層構造の板状素材３であるカップ状素材３ａとする。この一体的に重ねた３層構造の板状素材３であるカップ状素材３ａを、図示しないが、カップ形状を左右に有する金型の下型内に装着し、その金型の上型により加圧・加熱によりモールド加圧成形して、左右のカップ状のモールド加圧成形体２ａとしている。この場合、カップ形状を左右に有する金型により一挙に左右のカップ状のモールド加圧成形体２ａを得ている。しかし、図２に示す３層構造のカップ状素材３ａをカップ脇側辺２ｅの破線で切断して、それぞれ左右別々に独立したカップ状素材３ａとした上で、それぞれ左右が別々に独立した金型により個別にモールド加圧成形し、それぞれ左右別々に独立したカップ状のモールド加圧成形体２ａを得ることができる。
【００２２】
上記で得られたカップ状のモールド加圧成形体２ａの、例えば向って右側のカップ成形体２を図３の（ａ）の平面図およびこの図３の（ａ）の平面図の矢視Ａ−Ａで切断して見た図３の（ｂ）の断面図に例として示す。この結果、得られたカップ成形体２は、低反発性の発泡ポリウレタンからな特殊な風合いを有し、その風合いやカップの厚みが自在に設定されており、低反発性の発泡ポリウレタンの黄変が外部から見えなくし、また低反発性の発泡ポリウレタンの成型時の破れの無い、外観および触感に優れかつ着用時のフィット性に優れている乳房形状のシームレスカップとなっている。
【符号の説明】
【００２３】
１  シームレスカップ
２  カップ成形体
２ａ  カップ状のモールド加圧成形体
２ｂ  乳頭部近傍
２ｃ  カップ上辺
２ｄ  カップ下辺
２ｅ  カップ脇側辺
３  ３層構造の板状素材
３ａ  カップ状素材
３ｂ  通常の発泡ウレタン
３ｃ  低反発性の発泡ウレタン
３ｄ  表側外層
３ｅ  裏側外層
３ｆ  中間層
３ｇ  表面編地
３ｈ  裏面編地
４  カップ部
５  扇形部
５ａ  カップ周辺部位
６  扇形部の残余部
６ａ  カップ周辺部位
７  ブラジャー
【図１】
0003150793.tif 000003
【図２】
0003150793.tif 000004
【図３】
0003150793.tif 000005
【手続補正書】
【提出日】平成21年3月26日(2009.3.26)
【手続補正１】
【補正対象書類名】実用新案登録請求の範囲
【補正対象項目名】全文
【補正方法】変更
【補正の内容】
【実用新案登録請求の範囲】
【請求項１】
発泡ウレタンからなるカップ成形体（２）は乳房の乳頭部近傍（２ｂ）からカップ下辺（２ｄ）およびカップ脇側辺（２ｅ）にいたる扇形部（５）および乳頭部近傍（２ｂ）からカップ上辺（２ｃ）にいたる扇形部の残余部（６）からなるカップ成形体（２）を有し、厚さが厚い乳頭部近傍（２ｂ）と、乳頭部近傍（２ｂ）から徐々に厚さが薄くなっている斜め下方のカップ脇側辺（２ｅ）にいたる扇形部（５）のカップ周辺部位（５ａ）および同様に乳頭部近傍（２ｂ）から徐々に厚さが薄くなっていたるカップ上辺（２ｃ）である扇形部の残余部（６）のカップ周辺部位（６ａ）を有するカップ成形体（２）において、通常の発泡ウレタン（３ｂ）からなる表側外層（３ｄ）と、裏側外層（３ｅ）、低反発性の発泡ウレタン（３ｃ）からなる中間層（３ｆ）から形成した３層構造の板状素材（３）からモールド成形により一体化して形成したシームレスカップ（１）であることを特徴とするブラジャー（７）やカップ付きキャミソールからなるカップ付きファンデーション用のシームレスカップ（１）。
【請求項２】
３層構造の板状素材（３）からモールド成形により一体化して形成したシームレスカップ（１）であるカップ成形体（２）は通常の発泡ウレタン（３ｂ）からなる均等厚さの表側外層（３ｄ）と、均等厚さの低反発性の発泡ウレタン（３ｃ）からなる中間層（３ｆ）と、均等厚さの裏側外層（３ｅ）からなる３層構造の板状素材（３）からモールド成形したカップ状のモールド加圧成形体（２ａ）であることを特徴とする請求項１に記載のブラジャー（７）やカップ付きキャミソールからなるカップ付きファンデーション用のシームレスカップ（１）。
【請求項３】
３層構造の板状素材（３）からモールド成形したカップ状のモールド加圧成形体（２ａ）は乳頭部近傍（２ｂ）の厚さが最も厚く、乳頭部近傍（２ｂ）からカップ上辺（２ｃ）、カップ脇側辺（２ｅ）およびカップ下辺（２ｄ）からなるカップ周辺部位（５ａ）にいたるカップ成形体（２）の厚みが徐々に薄くなったカップ状のモールド加圧成形体（２ａ）であることを特徴とする請求項２に記載のブラジャー（７）やカップ付きキャミソールからなるカップ付きファンデーション用のシームレスカップ（１）。